(57)【要約】【課題】立体感が際立ち、審美性に優れた装飾具を提供する。【解決手段】文字、記号及び図形の少なくとも１つが象られた装飾本体部２を備える装飾具１であって、装飾本体部２は、表面３と裏面４との間に、文字、記号及び図形の少なくとも１つの輪郭を形成する側面５を備えており、装飾本体部２における側面５は、その全領域において、表面３側の側縁上における任意の第１の点Ｐ１と、第１の点Ｐ１とは異なる特定の第２の点Ｐ２とを結ぶ仮想ラインＬ上に配置されていることを特徴とする装飾具。【選択図】図６
2018099146.tif 000002
【特許請求の範囲】
【請求項１】
文字、記号及び図形の少なくとも１つが象られた装飾本体部を備える装飾具であって、
前記装飾本体部は、表面と裏面との間に、文字、記号及び図形の少なくとも１つの輪郭を形成する側面を備えており、
前記装飾本体部における前記側面は、その全領域において、前記表面側の側縁上における任意の第１の点と、前記第１の点とは異なる特定の第２の点とを結ぶ仮想ライン上に配置されていることを特徴とする装飾具。
【請求項２】
前記装飾本体部は、球状に形成されており、前記第２の点は、球状の前記装飾本体部の内側に配置されていることを特徴とする請求項１に記載の装飾具。
【請求項３】
前記装飾本体部には、同じ文字又は記号若しくは図形が、複数象られていることを特徴とする請求項１又は２に記載の装飾具。
【請求項４】
前記装飾本体部には、同じ文字又は記号若しくは図形が、二つ象られており、一方の文字又は記号若しくは図形と、他方の文字又は記号若しくは図形とは、前記装飾本体部の外側から一定の方向に視認した場合に互いに重なり合うように配置されていることを特徴とする請求項１又は２に記載の装飾具。
【請求項５】
前記一方の文字又は記号若しくは図形と、前記他方の文字又は記号若しくは図形とは、一筆書き状に形成されていることを特徴とする請求項３又は４に記載の装飾具。
【発明の詳細な説明】
【技術分野】
【０００１】
本発明は、装飾具に関する。
【背景技術】
【０００２】
従来から、アクセサリーや、和装小物、キーホルダー、携帯電話用ストラップといった装飾具が様々出回っており、その外観デザインに工夫を施すことにより審美性を高め需要者の趣味性を満足させるようなことが行われている。
【０００３】
例えば、特許文献１には、貴金属素材からなる装身具本体の表面に所定のモチーフの貫通孔を形成するとともに、当該貫通孔内に、これとほぼ等しい輪郭で、同一もしくは異なる貴金属素材からなるデザインピースが固定されて形成される装身具が開示されている。
【０００４】
また、特許文献２には、アルファベットのＡを象った本体部に取り外し可能な回転器具が設けられたペンダントトップが開示されている。
【０００５】
また、特許文献３には、無色透明のガラス製の２つの半球体の間に、文字が印刷された印刷層を介在させて球体状に構成した装飾玉が開示されている。このような装飾玉は、球体状のガラス球の凸表面を通して文字を見た際に、該凸表面の拡大作用によって文字が拡大されて凸表面上に浮かび上がっているように外見されるので、摩訶不思議な光景を呈するとされている。
【先行技術文献】
【特許文献】
【０００６】
【特許文献１】特開２００２−２２３８２４号公報
【特許文献２】特開２０１６−０５９７７５号公報
【特許文献３】特開２００９−２６８５９４号公報
【発明の概要】
【発明が解決しようとする課題】
【０００７】
従来の装飾具は、外観デザイン等に工夫を施すことによりその審美性を高めることがなされてきたが、文字や記号、図形をモチーフにする場合に、その立体感をより一層醸し出す工夫についてはまだまだ開発の余地があった。例えば、上記特許文献１や特許文献２に開示されているような装飾具においては、モチーフは三次元的に形成されるが、これは単に厚みがあるというだけであり、平面的な形態の延長でしかなく、文字等のモチーフ自体に立体感が備わっているとは言い難いものであった。
【０００８】
また、特許文献３において開示されている装飾具は、ガラス球の拡大効果を利用して平面状の文字モチーフをガラス球表面に浮かび上がらせるものであり、ガラス球を見る方向によっては、文字モチーフが立体的に視認することができず、やはり、文字等のモチーフ自体に立体感が備わっているとは言い難いものであった。
【０００９】
本発明は、上記問題に鑑み、立体感が際立ち、審美性に優れた装飾具を提供することを目的とする。
【課題を解決するための手段】
【００１０】
本発明の前記目的は、文字、記号及び図形の少なくとも１つが象られた装飾本体部を備える装飾具であって、前記装飾本体部は、表面と裏面との間に、文字、記号及び図形の少なくとも１つの輪郭を形成する側面を備えており、前記装飾本体部における前記側面は、その全領域において、前記表面側の側縁上における任意の第１の点と、前記第１の点とは異なる特定の第２の点とを結ぶ仮想ライン上に配置されていることを特徴とする装飾具により達成される。
【００１１】
また、上記装飾具において、前記装飾本体部は、球状に形成されており、前記第２の点は、球状の前記装飾本体部の内側に配置されていることが好ましい。
【００１２】
また、前記装飾本体部には、同じ文字又は記号若しくは図形が、複数象られていることが好ましい。
【００１３】
また、前記装飾本体部には、同じ文字又は記号若しくは図形が、二つ象られており、一方の文字又は記号若しくは図形と、他方の文字又は記号若しくは図形とは、前記装飾本体部の外側から一定の方向に視認した場合に互いに重なり合うように配置されていることが好ましい。
【００１４】
また、前記一方の文字又は記号若しくは図形と、前記他方の文字又は記号若しくは図形とは、一筆書き状に形成されていることが好ましい。
【発明の効果】
【００１５】
本発明によれば、立体感が際立ち、審美性に優れた装飾具を提供することができる。
【図面の簡単な説明】
【００１６】
【図１】本発明の一実施形態に係る装飾具の正面を示す画像である。
【図２】図１に示す装飾具の背面を示す画像である。
【図３】図１に示す装飾具の右側面を示す画像である。
【図４】図１に示す装飾具の左側面を示す画像である。
【図５】図１に示す装飾具の正面に関する概略構成図である。
【図６】図４のＡ−Ａ断面を示す概略構成断面図である。
【図７】図１に示す装飾具の変形例を示す概略構成断面図である。
【発明を実施するための形態】
【００１７】
以下、本発明の実施形態について添付図面を参照して説明する。図１は、本発明の一実施形態に係る装飾具１の正面を示す画像であり、図２は、背面を示す画像、図３は、右側面を示す画像、図４は、左側面を示す画像である。また、図５は、装飾具１の正面に関する概略構成図であり、図６は、図５におけるＡ−Ａ断面に対応する概略構成断面図である。なお、図６は、後述する球面Ｓ１と球面Ｓ２との中心点（第２の点Ｐ２に対応）を通過する平面に関する断面図である。本発明に係る装飾具１は、例えば、ペンダントやブレスレット、イヤリング、ブローチといったアクセサリーや、バックチャームや帯留めといった和装小物、服のボタンや装飾、靴や鞄のチャームといったファッション小物、キーホルダーや携帯電話ストラップ、ディスプレイ用のオブジェといった雑貨等の種々の装飾具の一部分として使用できるものであり、文字、記号及び図形の少なくとも１つが象られた装飾本体部２を備えて構成されている。
【００１８】
本実施形態においては、装飾本体部２が、図１〜図６に示すように、ひらがなの「ふ」という文字を象って形成されており、当該「ふ」という文字を二つ組み合わせて、中空の球状の形態を有するように構成されている。つまり、「ふ」という文字部分の外側を向く表面３は、所定の半径を有する架空の球面Ｓ１上に配置されるように形成され、表面３の裏側である裏面４は、球面Ｓ１の半径よりも短い寸法である半径を有する架空の球面Ｓ２上に配置されるように形成されている。なお、球面Ｓ１と球面Ｓ２との中心点は、同一点として構成されている。
【００１９】
また、装飾本体部２は、文字（又は記号、或いは図形）を象った部分のみで構成されており、表面３と裏面４との間に、文字、記号及び図形の少なくとも１つの輪郭（本実施形態においては、「ふ」という文字の輪郭）を形成する側面５を備えている。この装飾本体部２における側面５は、その全領域において、図６に示すように、表面３側の側縁上（表面３上において側面５との境界を構成している側縁上）における任意の第１の点Ｐ１と、当該第１の点Ｐ１とは異なる特定の第２の点Ｐ２とを結ぶ仮想ラインＬ上に配置されるように形成されている。本実施形態においては、装飾本体部２が球状に形成されているため、第２の点Ｐ２は、球状の装飾本体部２の内側に配置されている。なお、上記球面Ｓ１と球面Ｓ２との中心点が、特定の第２の点Ｐ２に対応する。
【００２０】
また、本実施形態においては、装飾本体部２が備える二つの「ふ」という文字部分は、装飾本体部２の外側から一定の方向に視認した場合に、手前側に配設される「ふ」という文字と、奥側に配設される「ふ」という文字とが、互いに重なるように配置されている。つまり、一方の「ふ」という文字部分（手前側に配設される「ふ」という文字部分）が手前側となるようにして装飾本体部２の外側から視認する場合には、図１に示すように、「ふ」という文字であることが視認者は直ちにわかるが、他方の「ふ」という文字部分（奥側に配設される「ふ」という文字部分）を手前側にして装飾本体部２の外側から視認する場合には、図２に示すように、「ふ」という文字が左右反転して視認されるため、直ちに「ふ」という文字であることが認識できない構成となっている。
【００２１】
また、一方の「ふ」という文字部分と、他方の「ふ」という文字部分とは、一筆書き状に形成され、両方の文字同士が一体的に連続した形態として構成されている。
【００２２】
ここで、本実施形態においては、装飾本体部２が備えるモチーフとして平仮名の「ふ」という文字を採用しているが、この文字に特に限定されず、種々の文字を採用することができる。また、文字としては、平仮名の他、片仮名、アルファベット、数字、漢字等様々なものを採用することができる。また、文字の他に、ト音記号や音符等といった音楽記号や、無限大記号（∞）や積分器号（∫）、総和記号（Σ）等といった学術記号等の各種記号、ハート形やダイヤ形、星形、□、〇といった単純図形や、社章、校章、園章に関する図柄、ブランドのロゴや人気キャラクターの輪郭を象った図柄といった図形をモチーフとしてもよい。
【００２３】
また、装飾本体部２を形成する材料は、特に限定されず、例えば、金や銀、プラチナ、ステンレス、チタン合金、真鍮等の様々な金属材料を用いることができる。また、熱可塑性樹脂や熱硬化性樹脂といったプラスチック材料を用いることもできる。プラスチック材料としては、例えば、ポリオレフィン（ポリエチレン、ポリプロピレン等）、ポリ塩化ビニル、ポリスチレン、ポリエステル（ポリエチレンテレフタレート等）、アクリル樹脂［メチル−（メタ）アクリレート、（メタ）アクリル酸樹脂等］、ＡＢＳ樹脂、ポリカーボネート、ポリアミド、ポリアリレート、ポリアリルスルホン、ポリエーテルイミド、ポリエーテルスルホン、ポリメチルペンテン、ポリスルホン、スチレン系共重合体（アクリル−スチレン共重合体、ブタジエン−スチレン共重合体、スチレン−アクリロニトリル共重合体等）及びフッ素樹脂等が挙げられる。
【００２４】
プラスチック材料を用いて装飾本体部２を形成する場合、外観性、装飾性を向上させるため着色剤を配合してもよい。着色剤としては、例えば、カーボンブラック、クロムバーミリオン、弁柄、クロム酸鉛、黄色硫化鉄、チタン黄、クロムグリーン、酸化クロム、群青及びコバルトブルー等の無機系顔料を使用することができる他、レーキッド４Ｒ等の有機系顔料も使用することができる。更に、外表面に透明性を有する着色された塗料等、例えば、着色剤を添加したアクリル塗料等を塗布してもよい。また、金属光沢を付与するために、プラスチック材料から形成した装飾本体部２の外表面に金属めっきを施してもよい。
【００２５】
上記構成の装飾具１は、様々方法で形成することができる。例えば、自動彫刻機、フライス盤、放電加工機、レーザ加工機などを用いて形成してもよく、或いは、３Ｄプリンターによって形成してもよい。また、３Ｄプリンターによって立体として出力した成形体をロストワックス鋳造法における金型パーツ（中子）として用い、金属鋳造を行って形成してもよい。
【００２６】
本実施形態に係る装飾具１は、上述のように、装飾本体部２における文字部分の輪郭（本実施形態においては、「ふ」という文字の輪郭）を形成する側面５が、その全領域において、図６に示すように、表面３側の側縁上における任意の第１の点Ｐ１と、当該第１の点Ｐ１とは異なる特定の第２の点Ｐ２とを結ぶ仮想ラインＬ上に配置されるように形成されている。このような構成を備えることにより、単に球面に沿って文字（又は記号若しくは図形）が配置されて立体的に構成されているという印象以上のより際立った立体感を視認者に与えることが可能となり、従来にない優れた審美性を具備することとなる。
【００２７】
また、本実施形態においては、装飾本体部２が備える二つの文字部分は、装飾本体部２の外側から一定の方向に視認した場合に、手前側に配設される文字（又は記号若しくは図形）と、奥側に配設される文字（又は記号若しくは図形）とが、互いに重なるように配置されている。このような構成を備えることにより、初めて当該装飾具１を目にする視認者に対して、一見しただけではそのモチーフの意味が分からないが、特定の方向から見た際に初めて意味が分かるという驚きや楽しみ、面白みを与えることが可能となり、優れた娯楽性をも発揮する。
【００２８】
また、本実施形態においては、一方の文字部分と他方の文字部分とは、一筆書き状に形成され、両方の文字同士が一体的に連続した形態として構成されている。このような構成を備えることにより、文字部分（モチーフ）に柔らか味を与えることができ、球状として構成した装飾具１の球体感をより一層醸し出すことが可能となり、より一層際立った立体感を視認者に与えることができる。
【００２９】
以上、本発明の一実施形態に係る装飾具１について説明したが、装飾具１の具体的構成は、上記実施形態に限定されない。上記実施形態においては、装飾本体部２は、二つの同一の文字（「ふ」という文字）を組み合わせて、中空の球状の形態を有するように構成されているが、このような形態に特に限定されず、例えば、中空の楕円球状に構成してもよい。また、一方の文字が球面に沿うように構成し、他方の文字が平面に沿うように構成し、二つを組み合わせて中空の半球状の装飾本体部２となるように構成してもよい。また、六つの同一の文字を組み合わせてキュービック状の装飾本体部２となるように構成してもよい。
【００３０】
また、上記実施形態においては、装飾本体部２の表面３及び裏面４が、球面に沿うように構成しているが、図７の概略構成断面図に示すように、文字、記号及び図形の少なくとも１つが象られた装飾本体部２の表面３及び裏面４が互いに平行な平面に沿う平板状に構成してもよい。なお、装飾本体部２の表面３及び裏面４が互いに平行な平面に沿うように構成したとしても、装飾本体部２における文字部分（又は記号部分若しくは図形部分）の輪郭を形成する側面５が、その全領域において、表面３側の側縁上における任意の第１の点Ｐ１と、当該第１の点Ｐ１とは異なる特定の第２の点Ｐ２とを結ぶ仮想ラインＬ上に配置されるように形成されているため、特定の第２の点Ｐ２を曲率中心とする湾曲面上に沿って装飾本体部２の表面３及び裏面４が配置されているような錯覚を視認者に与えることが可能となり、あたかも湾曲面に沿った形状として装飾具１が形成されているような印象を視認者に与えることが可能となる。
【００３１】
また、上記実施形態においては、二つの文字を組み合わせて装飾本体部２を構成しているが、このような構成に特に限定されず、単一の文字又は記号若しくは図形から装飾本体部２を構成してもよい。この場合も、装飾本体部２の形態は特に限定されず、例えば、球状、楕円球状、キュービック状、平面状、湾曲状等の種々の形態として装飾本体部２を構成することができる。
【００３２】
また、上記実施形態においては、二つの同一の文字を組み合わせて装飾本体部２を構成しているが、必ずしもモチーフとなる文字や記号、図形が同一である必要はなく、異なる文字、記号、図形をモチーフとして装飾本体部２を構成してもよい。
【００３３】
また、上記実施形態においては、同一の文字２つを組み合わせて装飾本体部２を構成しているが、異なる文字や記号、図形を３以上の複数組み合わせて構成してもよい。なお、３以上の複数の文字又は記号若しくは図形を用いて装飾本体部２を形成する場合、一部の文字又は記号若しくは図形において、同一の文字等を用いてもよいことは言うまでもない。
【００３４】
また、上記実施形態においては、二つ文字を組み合わせて、中空の球状の形態を有する装飾本体部２を構成し、特定の第２の点Ｐ２を、上記球面Ｓ１と球面Ｓ２との共通の中心点としているが、このような構成に限定されず、特定の第２の点Ｐ２を、球面Ｓ１と球面Ｓ２との中心点とは異なる点に設定して装飾本体部２を形成してもよい。
【００３５】
また、上記実施形態においては、特定の第２の点Ｐ２は、球状の装飾本体部２の内側に配置されているが、このような構成に特に限定されず、球状の装飾本体部２の外側に、特定の第２の点Ｐ２を設定するようにして装飾本体部２を構成してもよい。
【００３６】
また、上記実施形態においては、装飾本体部２には、同じ文字又は記号若しくは図形が、二つ象られており、一方の文字又は記号若しくは図形と、他方の文字又は記号若しくは図形とが、装飾本体部２の外側から一定の方向に視認した場合に互いに重なり合うように配置されているが、このような構成に特に限定されなない。例えば、二つ象られた文字（又は記号若しくは図形）のそれぞれについて、装飾本体部２の外側から見た際にその文字の意味が認識されるように、二つの文字（又は記号若しくは図形）を外向きに配置するようにして構成してもよい。
【００３７】
また、上記実施形態においては、一方の文字部分と他方の文字部分とは、一筆書き状に形成され、両方の文字同士が一体的に連続した形態として構成されているが、このような構成に限定されず、一部において不連続な部分を備えていてもよい。また、一筆書き状に限定されるものでもなく、種々の書体を採用することができる。
【００３８】
また、図３や図４に示すように、チェーンやワイヤー、紐等に装飾具１を取り付けるためのリング部材を有する保持具を装飾本体部２に設けるように構成してもよい。なお、図３や図４においては、保持具を装飾本体部の上部に設けて構成している。
【符号の説明】
【００３９】
１  装飾具
２  装飾本体部
３  装飾本体部の表面
４  装飾本体部の裏面
５  装飾本体部の側面
Ｐ１  装飾本体部の表面における側縁の任意の第１の点
Ｐ２  特定の第２の点
Ｌ  仮想ライン
【図１】
2018099146.tif 000003
【図２】
2018099146.tif 000004
【図３】
2018099146.tif 000005
【図４】
2018099146.tif 000006
【図５】
2018099146.tif 000007
【図６】
2018099146.tif 000008
【図７】
2018099146.tif 000009